(57)【要約】【課題】  フイルムパトローネの装填を容易に行う。【解決手段】  カメラ２は、パトローネ装填蓋２、カメラボディ３、ガイド部材４とからなる。パトローネ装填蓋２は、カメラボディ３に対して第１回転軸３６を中心に回転自在に取り付けられている。ガイド部材４は、第１回転軸３６よりも上方に位置する第２回転軸４４を中心に回転自在に取り付けられている。パトローネ装填蓋２とガイド部材４とは、開口部４０に連結ピン５１を係合させて連結している。パトローネ装填蓋２を開き位置に移動すると、ガイド部材４も連動して、ガイド部材４のフイルムガイド４３と、パトローネ装填蓋２のフイルム圧板３９とが略平行で、かつ所定の間隔を持つ位置に移動する。【選択図】        図３
2005189416.tif 000002
【特許請求の範囲】
【請求項１】
パトローネ装填室、及びこのパトローネ装填室の内部に組み込まれたスプール駆動軸を有するカメラ本体と、このカメラ本体に開閉自在に取り付けられ、前記パトローネから引き出されるフイルムを背面から支持するフイルム圧板が設けられたパトローネ装填蓋と、前記カメラ本体及びパトローネ装填蓋の間に設けられ、パトローネを軸方向に沿って挿入可能なパトローネガイド、及びこのパトローネガイドに連続し、前記フイルム圧板とともにフイルム給送路を形成して前記フイルムを支持するフイルムガイドからなるガイド部材とを備えたカメラにおいて、
前記パトローネ装填蓋は、前記スプール駆動軸の軸方向と直交する方向に沿って設けられた第１回転軸を介して、前記フイルム装填室を露呈させる開放位置、及びフイルム装填室を塞ぐ閉じ位置の間で、カメラ本体に対して回転自在に取り付けられ、前記ガイド部材は、前記第１回転軸と平行な位置に設けられた第２回転軸を介して、カメラ本体に対して回転自在に取り付けられており、前記パトローネ装填蓋と、前記ガイド部材とを連結し、前記パトローネ装填蓋とともに前記ガイド部材を移動させる連結部材を備えており、前記パトローネ装填蓋を開放位置にしたとき、前記フイルムガイドと前記フイルム圧板とが略平行で、かつ所定の間隔を持つ位置に移動し、前記パトローネ装填蓋を閉じ位置にしたとき、前記パトローネガイドに挿入されたパトローネのスプールが前記スプール駆動軸に係合するように移動することを特徴とするカメラ。
【請求項２】
前記連結部材は、ガイド部材に一体に設けられたカムピンと、前記パトローネ装填蓋に形成され、前記カムピンと係合するカム溝とからなり、前記パトローネ装填蓋を回転させたとき、前記カムピンがカム溝に沿って移動することによって、前記ガイド部材が移動することを特徴とする請求項１記載のカメラ。
【発明の詳細な説明】
【技術分野】
【０００１】
本発明は、カメラに関するものであり、さらに詳しくは、フイルムパトローネを軸方向に沿って装填するドロップインロード（以下、ＤＩＬと称する。）方式のカメラに関するものである。
【背景技術】
【０００２】
従来、フイルムパトローネの装填を行うカメラの構成としては、カメラ本体の背面側に装填蓋を開閉自在に設け、この装填蓋を開放位置にしたとき、パトローネ装填室が露呈してフイルムパトローネの装填が可能となるものが一般的である。このようなパトローネの装填構造としては、様々なものがあり、例えば、特許文献１に示すように、カメラ本体の側方部に設けられたヒンジを介して装填蓋が取り付けられているものがある。そしてこの装填蓋を開放位置にすると、パトローネ装填室、及びパトローネ装填室に連続するフイルムレールが露呈するので、そこへフイルムパトローネ、及び引き出されたフイルムの一部をそれぞれセットし、装填蓋を閉じ位置にすると装填が完了する。
【０００３】
一方、フイルムパトローネの装填を容易に行うことが可能なものとしてＤＩＬ方式のカメラが知られている。この種のＤＩＬ方式カメラの構成としては、例えば特許文献２に示すように、パトローネ装填室、及びパトローネガイドが設けられたカメラ本体と、このカメラ本体に対して開閉自在に取り付けられた装填蓋とを備えており、装填蓋を開放位置にすると、カメラ本体の背面部、及び底面部の一部が露呈する。そしてカメラ本体の底面部からフイルムパトローネを落とし込むことで、パトローネガイドにガイドされ、フイルムパトローネを軸方向に沿って容易に装填することができる。
【０００４】
また、特許文献３では、装填蓋の回転軸を、カメラ本体の下方部に設けたカメラの例が記載されており、この場合、パトローネを軸方向にそって挿入するためのガイド用部材、及びパトローネから引き出されたフイルムをガイドするガイド用部材が装填蓋に一体に形成されており、装填蓋を開放位置にすると、これらの部材が露呈して、上方部からパトローネを挿入することが可能となる。
【０００５】
【特許文献１】特開平９−１０５９８６号公報
【特許文献２】実開平３−６６３４号公報
【特許文献３】実開昭５７−１５０８２７号公報
【発明の開示】
【発明が解決しようとする課題】
【０００６】
しかしながら、上記特許文献１記載のカメラでは、パトローネ装填室の背面側から装填するため、パトローネの装填に慣れた者でなければ難しい作業であった。すなわち、手に持ったパトローネをパトフォークに対して斜めにした状態で保持し、パトフォークとの干渉に気をつけながら、パトローネをパトローネ装填室に落とし込み、その後、パトローネとパトフォークとの軸方向を徐々に合せながら係合させるというもので、非常にコツを要する作業であり、初心者などには非常に困難であった。
【０００７】
そこで上記特許文献２，３のように装填作業を簡易的にするためのＤＩＬ方式カメラがあるが、特許文献２に記載のカメラの場合、底面部からパトローネを挿入するために、パトフォークをカメラ本体の上方部に配置しなければならず、パトフォークの部品と、同じくカメラ本体に組み込まれたストロボ装置の部品との干渉を避けて組み込まなくてはならず、部品を効率良く配置することが困難であり、カメラのコンパクト化を図ることができなかった。
【０００８】
また、特許文献３に記載のカメラでは、上方部からパトローネを装填することが可能であるため、部品配置の効率の向上、及びカメラのコンパクト化を図ることが可能となるが、パトローネ及びフイルムガイド用の部材が装填蓋に固定されているため、パトローネ及びフイルムを挿入させるときに、ガイド用の部材と装填蓋との間に余裕がないので、パトローネ及びフイルムを挿入して落とし込む作業が難しく、やはり初心者などには困難であった。
【０００９】
本発明は上記問題点を考慮してなされたものであり、ＤＩＬ方式で、フイルムパトローネの装填を容易に行うことを可能にするとともに、部品配置の効率を向上してコンパクト化を図ることが可能なカメラを提供することを目的とする。
【課題を解決するための手段】
【００１０】
上記目的を達成するために、本発明のカメラでは、パトローネ装填室、及びこのパトローネ装填室の内部に組み込まれたスプール駆動軸を有するカメラ本体と、このカメラ本体に開閉自在に取り付けられ、前記パトローネから引き出されるフイルムを背面から支持するフイルム圧板が設けられたパトローネ装填蓋と、前記カメラ本体及びパトローネ装填蓋の間に設けられ、パトローネを軸方向に沿って挿入可能なパトローネガイド、及びこのパトローネガイドに連続し、前記フイルム圧板とともにフイルム給送路を形成して前記フイルムを支持するフイルムガイドからなるガイド部材とを備えたカメラにおいて、前記パトローネ装填蓋は、前記スプール駆動軸の軸方向と直交する方向に沿って設けられた第１回転軸を介して、前記フイルム装填室を露呈させる開放位置、及びフイルム装填室を塞ぐ閉じ位置の間で、カメラ本体に対して回転自在に取り付けられ、前記ガイド部材は、前記第１回転軸と平行な位置に設けられた第２回転軸を介して、カメラ本体に対して回転自在に取り付けられており、前記パトローネ装填蓋と、前記ガイド部材とを連結し、前記パトローネ装填蓋とともに前記ガイド部材を移動させる連結部材を備えており、前記パトローネ装填蓋を開放位置にしたとき、前記フイルムガイドと前記フイルム圧板とが略平行で、かつ所定の間隔を持つ位置に移動し、前記パトローネ装填蓋を閉じ位置にしたとき、前記パトローネガイドに挿入されたパトローネのスプールが前記スプール駆動軸に係合するように移動することを特徴とする。
【００１１】
なお、前記連結部材は、ガイド部材に一体に設けられたカムピンと、前記パトローネ装填蓋に形成され、前記カムピンと係合するカム溝とからなり、前記パトローネ装填蓋を回転させたとき、前記カムピンがカム溝に沿って移動することによって、前記ガイド部材が移動することが好ましい。
【発明の効果】
【００１２】
本発明のカメラは、パトローネ装填蓋が、スプール駆動軸の軸方向と直交する方向に沿って設けられた第１回転軸を介して、フイルム装填室を露呈させる開放位置、及びフイルム装填室を塞ぐ閉じ位置の間で、カメラ本体に対して回転自在に取り付けられ、ガイド部材が、第１回転軸と平行な位置に設けられた第２回転軸を介して、カメラ本体に対して回転自在に取り付けられており、パトローネ装填蓋と、ガイド部材とを連結し、パトローネ装填蓋とともにガイド部材を移動させる連結部材を備えており、パトローネ装填蓋を開放位置にしたとき、フイルムガイドとフイルム圧板とが略平行で、かつ所定の間隔を持つ位置に移動し、パトローネ装填蓋を閉じ位置にしたとき、パトローネガイドに挿入されたパトローネのスプールがスプール駆動軸に係合するように移動するようにしたので、ＤＩＬ方式で、フイルムパトローネの装填を容易に行うことを可能にするとともに、スプール駆動軸周囲のレイアウトに自由度が増すので、部品配置の効率を向上してコンパクト化を図ることできる。
【発明を実施するための最良の形態】
【００１３】
図１は、本発明を実施したカメラ１のパトローネ装填蓋２を開いた状態を示す外観斜視図である。本実施形態のカメラ１は、カメラボディ３と、パトローネ装填蓋２と、このパトローネ装填蓋２及びカメラボディ３の間に取り付けられるガイド部材４とを備え、写真フイルムパトローネ（以下では、単にパトローネと称する。）７をＤＩＬ方式に装填する構造である。なお、図１においては、パトローネ７を装填するときの状態を示しやすいように、カメラ１を背面側から見た図としている。
【００１４】
パトローネ７は、パトローネ本体８と、その中に回転自在に収納されるスプール９と、このスプール９に巻きつけられた写真フイルム（以下、単にフイルムと称する。）１０とからなる。なお、このパトローネ７は、製品状態のパッケージ（図示せず）から取り出されたときに、パトローネ本体８の側面に形成されたスリット状の開口部からフイルム１０の一部が引き出された状態となっている。
【００１５】
カメラボディ３の前面には、撮影レンズを保持したレンズ鏡筒１３、対物側ファインダレンズ（図示せず）などが設けられ、上面には、シャッタボタン１４が、また、カメラボディ３の背面上方部には、装填蓋開放スイッチ１５、接眼側ファインダレンズ１６などが設けられている。
【００１６】
カメラボディ３は、図２、図３及び図４に示すように、本体基部１９と、この本体基部１９を覆う前カバー２０及び後カバー２１からなる。前カバー２０は、本体基部１９の前面側に取り付けられ、後カバー２１は、本体基部１９の背面側に取り付けられている。
【００１７】
本体基部１９には、露光機構、フイルム給送機構、及びストロボ機構などの各種撮影機構が組み込まれている。本体基部１９の中央部には、前面側に組み付けられる露光機構からフイルム１０までの間を遮光する遮光筒２４が設けられ、さらに遮光筒２４を挟んで、一方の側方部にはパトローネ７が装填されるパトローネ装填室２６が、他方の側方部にはパトローネ７から引き出されたフイルム１０を巻き取るフイルム巻き取り室２７とが設けられている。
【００１８】
パトローネ装填室２６は、軸方向がカメラ１の上下方向に延びるように、かつ背面側が開放されたＵ字断面で、上下面が塞がれた略筒型形状に形成されている。このパトローネ装填室２６には、詳しくは図３に示すように、上面には付勢バネ２９が、下面にはスプール駆動軸３０が設けられている。付製バネ２９はＵ字形状に折り畳まれた板バネなどからなり、ピン止めなどで固定して取り付けられている。この付勢バネ２９は、パトローネ装填室２６にパトローネ７が装填されたとき、スプール駆動軸３０側へ向かってパトローネ７を付勢する。
【００１９】
スプール駆動軸３０は、軸方向がパトローネ装填室２６と同軸上に配置されており、軸方向に沿ってスライド自在に取り付けられたパトフォーク３１と、このパトフォーク３１を上方部に向かって付勢するコイルバネ３２が設けられている。パトローネ装填室２６にパトローネ７が装填されたとき、パトローネ７のスプール９がパトフォーク３１に係合する。さらに、スプール駆動軸３０の下端には、ギア３０ａが一体形成されている。パトローネ７が装填されたとき、スプール駆動軸３０のギア３０ａにモータの回転駆動が伝達され、パトフォーク３１に係合したスプール９と一体になって回動する。
【００２０】
フイルム巻き取り室２７の内部には、フイルム巻き取り軸３４が設けられている。このフイルム巻き取り軸３４は、その周囲にフイルム１０のパーフォレーション１０ａと係合する突起３４ａが形成されており、パトローネ７からフイルム１０が給送されるとき、図示しないギア列により回転駆動が伝達され、フイルム１０が周囲に巻き付けられる。
【００２１】
パトローネ装填蓋２は、本体基部１９の背面の遮光筒２４、パトローネ装填室２６、及びフイルム巻き取り室２７の背面側を含む部分を覆っており、本体基部１９の下方部に設けられたヒンジ部３５に第１回転軸３６を介して回転自在に軸支されている。この第１回転軸３６は、本体基部１９の一方の側方部から他方の側方部まで延びるように、すなわち、上下方向と直交する水平方向に沿って取り付けられる。
【００２２】
このパトローネ装填蓋２は、略矩形の板状に形成されており、下端部には、第１回転軸３６が嵌合する軸受部３７が、一方の側端部には、前方へ突出する板状の連結部３８が一体に形成されており、さらに、前面中央部には、フイルム１０を背面側から支持するフイルム圧板３９が設けられている。連結部３８には、開口部４０が形成されている。開口部４０は、図３に示すように、第１長孔部４０ａと第２長孔部４０ｂとが連続し、かつ第１長孔部４０ａと第２長孔部４０ｂとが斜交するように「へ」の字状に形成されている。
【００２３】
パトローネ装填蓋２は、第１回転軸３６を中心に回転させることによって、パトローネ装填室２６の背面側を塞ぐ閉じ位置（図３及び図４に示す状態）と、パトローネ装填室２６を露呈させる開き位置（図２に示す状態）との間で開閉自在となっている。
【００２４】
ガイド部材４は、パトローネガイド４２、このパトローネガイド４２に連続するフイルムガイド４３、及びこのフイルムガイド４３の下端部に位置する第２回転軸４４が一体に形成されている。第２回転軸４４は、本体基部１９のヒンジ部３５よりも上方部に位置するヒンジ部４５に取り付けられる。これによって、ガイド部材４は、第１回転軸３６と平行で、かつ第１回転軸３６よりも上方の位置に取り付けられた第２回動軸４４を介し、本体基部１９に対して回転自在に軸支される。
【００２５】
フイルムガイド４３は、図４に示すようにパトローネ装填蓋２のフイルム圧板３９とともに、フイルム１０を支持して給送するためのフイルム給送路を形成する。このフイルムガイド４３には、図３に示すように、遮光筒２４に連続し、フイルム１０への露光範囲を規定するアパーチャ４８が、ほぼ中央の位置に形成されている。また、フイルムガイド４３には、アパーチャ４８をほぼ中央の位置に挟んで、フイルム１０の上下端縁をガイドする一対の凸条４９ａ，４９ｂが上下に設けられ、また凸条４９ａ，４９ｂとアパーチャ４８との間にはフイルム１０の前面に接するフイルムレール５０ａ，５０ｂが設けられている。パトローネ装填蓋２が閉じ位置にあり、パトローネ７からフイルム１０が給送されるときには、これら凸条４９ａ，４９ｂ及びフイルムレール５０ａ，５０ｂによってフイルム１０の上下端縁及び前面側が支持され、かつフイルム圧板３９によって背面側が支持される。
【００２６】
パトローネガイド４２は、図４に示すようにパトローネ７の外周に合わせて形成された内周面４２ａが形成されており、パトローネ７を軸方向に沿って挿入することが可能となっている。さらにパトローネガイド４２一方の側面には、連結ピン５１が一体に形成されている。
【００２７】
この連結ピン５１は、パトローネ装填蓋２の連結部３８に形成された開口部４０と係合しており、開口部４０の第１長孔部４０ａ及び第２長孔部４０ｂに沿って連結ピン５１が移動自在となっている。これによって、パトローネ装填蓋２を第１回転軸３６を中心にして回転させると、連結部４０及び連結ピン５１を介してガイド部材４も連動して第２回転軸４４を中心に回転することができる。
【００２８】
なお、本体基部１９の上方部には、詳しくは図２に示すように、装填蓋開放スイッチ１５と一体に形成された係止爪５４が設けられており、パトローネ装填蓋２には、係止爪５４に対応する位置に係止孔５５が形成されている。また、軸受部３７の内部には、パトローネ装填蓋２を開き位置に付勢するバネ（図示せず）が組み込まれている。係止爪５４は、パトローネ装填蓋２が閉じ位置にされたとき、係止孔５５を係止してパトローネ装填蓋２を閉じ位置にロックする。そして、装填蓋開放スイッチ１５をスライド移動させると係止爪５４は係止孔５５の係止を解除し、軸受部３７に組み込まれたバネの付勢によって、パトローネ装填蓋２が開き位置に向けて回動される。
【００２９】
以下、上記構成による作用を図５を用いて説明する。使用者が、パトローネ装填室２６へのパトローネ７の装填を行うときには、装填蓋開放スイッチ１５を操作して、パトローネ装填蓋２を開放位置とする。このとき、連結ピン５１及び連結部３８を介して連結したガイド部材４がパトローネ装填蓋２に連動して、図５（Ａ）に示す状態のように、フイルムガイド４３とフイルム圧板３９とが略平行で、かつ所定の間隔を持つ位置に移動する。これによって、フイルムガイド４３とフイルム圧板３９との間にフイルム１０を挿入しやすい状態となる。さらに、上述したように、開口部４０は、「へ」の字状に斜交して形成されているので、パトローネ装填蓋２を閉じ位置から開き位置にしたとき、連結ピン５１が開口部４０に沿って移動すると、フイルムガイド４３とフイルム圧板３９との間隔は、上方部が下方部よりも広くなるので、フイルム１０の挿入をさらに容易にしている。
【００３０】
そして、図５（Ａ）に示す状態のように、フイルム１０の一部がパトローネ本体８から引き出された状態でパトローネ７を落とし込むと、パトローネガイド４２の内周面４２ａによってガイドされ、パトローネ７が軸方向に沿って挿入されるとともに、パトローネ７から引き出されたフイルム１０がフイルム圧板３９とフイルムガイド４３との間に挿入される（図５（Ｂ）に示す状態）。
【００３１】
パトローネ７をパトローネガイド４２に沿って落とし込むと、パトローネ本体８の底面部８ａがパトローネ装填室２６の前端縁に当接する（図５（Ｂ）に示す状態）。これ以上奥へ挿入することはできないので、パトローネ７を落とし込む作業を止めて、パトローネ装填蓋２を回転させて開放位置から閉じ位置に移動させる。このとき、連結ピン５１及び連結部３８を介して連結したガイド部材４がパトローネ装填蓋２に連動して、図５（Ｃ）に示す状態のように、スプール駆動軸３０と同軸上の位置にパトローネ７が位置するように移動する。これによって、パトローネ７は、パトローネ装填室２６の内部に装填されるとともに、パトローネ７のスプール９にパトフォーク３１を係合して、パトローネ装填の作業が完了する。このようにして、パトローネ７の装填作業を容易に行うことができる。また、スプール駆動軸３０は、上述したようにパトローネ装填室２６の下面に設けれており、本体基部１９の上方部に設けられたストロボ装置などと干渉することがなく、スプール駆動軸３０の周囲に余裕ができるので、部品配置の効率が向上し、コンパクト化を図ることができる。
【図面の簡単な説明】
【００３２】
【図１】パトローネ装填室へパトローネを装填するときの状態を示すカメラの背面側斜視図である。
【図２】カメラの構成を示す分解斜視図である。
【図３】カメラの要部縦断面図である。
【図４】カメラの要部横断面図である。
【図５】パトローネの装填を行うときのカメラの動作を示す説明図である。
【符号の説明】
【００３３】
１  カメラ
２  パトローネ装填蓋
３  カメラボディ
４  ガイド部材
７  パトローネ
１０  フイルム
【図１】
2005189416.tif 000003
【図２】
2005189416.tif 000004
【図３】
2005189416.tif 000005
【図４】
2005189416.tif 000006
【図５】
2005189416.tif 000007